(57)【要約】    【課題】家庭などにおける被災時にも手軽に着用できる緊急避難用簡易マスクを提供する。    【解決手段】緊急避難用簡易マスクにおいて、開口１２を有する防煙用マスク１１と、この防煙用マスク１１の開口１２に接続される空気溜め容器１と、前記防煙用マスク１１の開口１２の近傍に空気送り管２２を介して接続される小型手動ポンプ２１とを具備する。【選択図】図１
2005278973.tif 000002
【特許請求の範囲】
【請求項１】
（ａ）開口を有する防煙用マスクと、
（ｂ）該防煙用マスクの開口に接続される空気溜め容器と、
（ｃ）前記防煙用マスクの開口の近傍に空気送り管を介して接続される小型手動ポンプとを具備することを特徴とする緊急避難用簡易マスク。
【請求項２】
（ａ）開口を有する防煙用マスクと、
（ｂ）該防煙用マスクの開口に接続される空気溜め容器と、
（ｃ）前記防煙用マスクの開口の近傍に空気送り管を介して接続される足動ポンプとを具備することを特徴とする緊急避難用簡易マスク。
【請求項３】
（ａ）開口を有する防煙用マスクと、
（ｂ）該防煙用マスクの開口に接続される空気溜め付きの上着と、
（ｃ）前記防煙用マスクの開口の近傍に空気送り管を介して接続される小型手動ポンプとを具備することを特徴とする緊急避難用簡易マスク。
【請求項４】
（ａ）開口を有する防煙用マスクと、
（ｂ）該防煙用マスクの開口に接続される空気溜め付きの上着と、
（ｃ）前記防煙用マスクの開口の近傍に空気送り管を介して接続される足動ポンプとを具備することを特徴とする緊急避難用簡易マスク。
【請求項５】
（ａ）開口を有する防煙用マスクと、
（ｂ）該防煙用マスクの開口に接続される空気溜め付きの上着と、
（ｃ）該空気溜め付きの上着を介して記防煙用マスクへ空気を供給可能な小型手動ポンプとを具備することを特徴とする緊急避難用簡易マスク。
【請求項６】
（ａ）開口を有する防煙用マスクと、
（ｂ）該防煙用マスクの開口に接続される空気溜め付きの上着と、
（ｃ）該空気溜め付きの上着を介して記防煙用マスクへ空気を供給可能な足動ポンプとを具備することを特徴とする緊急避難用簡易マスク。
【請求項７】
請求項２、４又は６記載の緊急避難用簡易マスクにおいて、前記足動ポンプが履物本体と、該履物本体の下部に配置され、フィルタ付き吸入口を有する空気ポンプとを具備することを特徴とする緊急避難用簡易マスク。
【発明の詳細な説明】
【技術分野】
【０００１】
本発明は、火災や地震による崩壊などの災害現場において利用可能な緊急避難用簡易マスクに関するものである。
【背景技術】
【０００２】
従来より、地下鉄の構内やビルや家屋内などの閉じられた空間において火災が発生したような場合に、素早く装着して緊急避難するための防護装置が求められている。
【０００３】
例えば、従来の防煙マスクとしては、マスク本体に吸気専用弁と排気専用弁と吸気専用弁に連なる吸気パイプを備え、その吸気パイプが、不使用時には短尺に収縮させることができ、使用時には略身長の長さに伸長させることができる、伸縮自在のパイプからなるものが提案されている（下記特許文献１）。
【特許文献１】特開平８−６６４８５号公報
【発明の開示】
【発明が解決しようとする課題】
【０００４】
しかしながら、上記した従来の防煙マスクは構成が複雑であり、また、その装着に難があるといった問題があった。
【０００５】
特に、家庭などにおける被災時にも手軽に着用できる緊急避難用簡易マスクが望まれる。
【０００６】
本発明は、上記状況に鑑みて、家庭などにおける被災時にも手軽に着用できる緊急避難用簡易マスクを提供することを目的とする。
【課題を解決するための手段】
【０００７】
本発明は、上記目的を達成するために、
〔１〕緊急避難用簡易マスクにおいて、開口を有する防煙用マスクと、この防煙用マスクの開口に接続される空気溜め容器と、前記防煙用マスクの開口の近傍に空気送り管を介して接続される小型手動ポンプとを具備することを特徴とする。
【０００８】
〔２〕緊急避難用簡易マスクにおいて、開口を有する防煙用マスクと、この防煙用マスクの開口に接続される空気溜め容器と、前記防煙用マスクの開口の近傍に空気送り管を介して接続される足動ポンプとを具備することを特徴とする。
【０００９】
〔３〕緊急避難用簡易マスクにおいて、開口を有する防煙用マスクと、この防煙用マスクの開口に接続される空気溜め付きの上着と、前記防煙用マスクの開口の近傍に空気送り管を介して接続される小型手動ポンプとを具備することを特徴とする。
【００１０】
〔４〕緊急避難用簡易マスクにおいて、開口を有する防煙用マスクと、この防煙用マスクの開口に接続される空気溜め付きの上着と、前記防煙用マスクの開口の近傍に空気送り管を介して接続される足動ポンプとを具備することを特徴とする。
【００１１】
〔５〕緊急避難用簡易マスクにおいて、開口を有する防煙用マスクと、この防煙用マスクの開口に接続される空気溜め付きの上着と、この空気溜め付きの上着を介して記防煙用マスクへ空気を供給可能な小型手動ポンプとを具備することを特徴とする。
【００１２】
〔６〕緊急避難用簡易マスクにおいて、開口を有する防煙用マスクと、この防煙用マスクの開口に接続される空気溜め付きの上着と、この空気溜め付きの上着を介して記防煙用マスクへ空気を供給可能な足動ポンプとを具備することを特徴とする。
【００１３】
〔７〕上記〔２〕、〔４〕又は〔６〕記載の緊急避難用簡易マスクにおいて、前記足動ポンプが履物本体と、この履物本体の下部に配置され、フィルタ付き吸入口を有する空気ポンプとを具備することを特徴とする。
【発明の効果】
【００１４】
本発明によれば、家庭などにおける被災時にも手軽に着用でき、緊急避難を行うことができる。
【発明を実施するための最良の形態】
【００１５】
緊急避難用簡易マスクにおいて、開口を有する防煙用マスクと、この防煙用マスクの開口に接続される空気溜め容器と、前記防煙用マスクの開口に接続される小型手動ポンプとを備え、被災時にも手軽に着用できるようにしたので、緊急非難を行うことができる。
【００１６】
以下、本発明の実施の形態について詳細に説明する。
【実施例】
【００１７】
図１は本発明の第１実施例を示す緊急避難用簡易マスクの模式図、図２はその緊急避難用簡易マスクの装着状態を示す図である。
【００１８】
これらの図において、１は空気溜め容器（市販のペットボトルや袋）、２はその容器１の雄螺子付き開口、３はマスク１１の開口１２の近傍に設けられる一方弁（自転車のタイヤに設けられるような弁）が付いたポンプ差し込み口、４は空気溜め容器１からの空気を導入するためのボタン、５は排気の排出弁、１１はマスク、１２はそのマスク１１の雌螺子付き開口、１３はそのマスク１１装着用のバンド、２１は容器１に空気を充填する小型手動ポンプ、２２はその小型手動ポンプ２１とマスク１１のポンプ差し込み口３を接続する空気送り管、２３はその先端に設けられる雄螺子付き接続部である。
【００１９】
そこでまず、マスク１１の雌螺子付き開口１２に空気溜め容器１の雄螺子付き開口２を螺着し、空気が清浄な場所で、小型手動ポンプ２１で空気溜め容器１内に空気を蓄積する。次に、マスク１１のボタン４（バネ圧式）を押すと、空気溜め容器１内の空気がマスク１１に入る。吐いた空気は、排出弁５から外に排気される。
【００２０】
図３は本発明の第２実施例を示す緊急避難用簡易マスクの装着状態を示す図であり、図４はその足動ポンプの斜視図であり、図４（ａ）は偏平型の足動ポンプ、図４（ｂ）は傾斜型の足動ポンプを示している。
【００２１】
これらの図において、３１はマスク、３２は空気溜め容器（市販のペットボトルや袋）、３３は足動ポンプ、３４はポンプを使用者の足に固定するための履物（ここではスリッパ型履物）本体、３５はその履物本体３４の下部に配置されるポンプ部（ビーチボートの空気入れに似たもの）、３６は履物本体３４が踏まれると弁が閉じ、履物本体３４が踏まれた状態から解放されると開く、先端が上方に曲げられた開口を有するフィルタ付き空気吸入口、３７は空気送り管、３８は空気送り管３７の先端に設けられ、マスク３１のポンプ差し込み口に接続される空気送り管３７の接続部である。
【００２２】
なお、図４（ｂ）における傾斜型の足動ポンプの場合は、スリッパ型履物の爪先部がヒンジ構造３９になっている。
【００２３】
そこで、空気が清浄な箇所で足動ポンプ３３が設けられた履物（ここでは、スリッパ型履物）を履いて足踏みして蓄圧し、空気を空気溜め容器３２に溜める、あるいは歩きながら地面近くの清浄な空気を足動ポンプ３３によりくみ上げてポンプ作用でマスク３１に送る。
【００２４】
このように構成することにより、家庭などにおける被災時にも手軽に着用して、緊急避難を行うことができる。特に、家庭用避難グッズに加えて備えることが望ましい。
【００２５】
図５は本発明の第３実施例を示す緊急避難用簡易マスクの装着状態を示す図、図６はその緊急避難用簡易マスクの上着を示す図である。
【００２６】
この図において、４１はマスク、４２はマスク４１の雌螺子付き開口、４３は空気溜め部４４付きの上着（ライフジャケットなど）、４５は空気送り管、４６はその空気送り管４５の先端部の雄螺子付き接続部、４７はマスク４１に設けられる一方弁（自転車のタイヤに設けられるような）が付いたポンプ差し込み口、４８は小型手動ポンプ、４８Ａはその小型手動ポンプ４８とマスク４１のポンプ差し込み口４７を接続する空気送り管、４９は空気溜め部４４付きの上着４３からの空気を導入するためのボタン、５０は排気の排出弁である。
【００２７】
図７は本発明の第４実施例を示す緊急避難用簡易マスクの装着状態を示す図である。
【００２８】
この図において、５１はマスク、５２はマスクの雌螺子付き開口、５３は空気溜め部５４付きの上着（ライフジャケットなど）、５５は空気送り管、５７はマスク５１に設けられる一方弁（自転車のタイヤに設けられるような）が付いたポンプ差し込み口、５８は足動ポンプ、６２はその足動ポンプ５８とマスク５１のポンプ差し込み口５７を接続する空気送り管、５９は履物（ここではスリッパ型履物）本体、６０はその履物本体５９の下部に配置されるポンプ部（ビーチボートの空気入れに似たもの）、６１は履物本体５９が踏まれると弁が閉じ、履物本体５９が踏まれた状態から解放されると開く、先端が上方に曲げられた開口を有するフィルタ付き空気吸入口である。
【００２９】
図５〜図７に示すように、空気溜め部付き上着（ライフジャケットなど）に一旦空気を蓄えて、緊急避難用簡易マスクとして用いることができる。この場合、上着に防火、防水処理を施すことにより、上着が空気溜めの機能と併せて防護服となり有効である。
【００３０】
また、図８および図９に示すように、小型手動ポンプ４８から送られる空気は空気送り管７１からポンプ差し込み口７２を介して一旦上着４３に送り込み、その上着４３に溜められた空気を空気送り管４５を介してマスク４１に供給するようにしてもよい。
【００３１】
さらに、図１０に示すように、足動ポンプ５８から送られる空気は、空気送り管８１からポンプ差し込み口８２を介して、一旦上着４３に送り込み、その上着４３に溜められた空気を空気送り管４５を介してマスク４１に供給するようにしてもよい。
【００３２】
なお、本発明は上記実施例に限定されるものではなく、本発明の趣旨に基づき種々の変形が可能であり、これらを本発明の範囲から排除するものではない。
【産業上の利用可能性】
【００３３】
本発明の緊急避難用簡易マスクは、特に、家庭用避難グッズに適している。
【図面の簡単な説明】
【００３４】
【図１】本発明の第１実施例を示す緊急避難用簡易マスクの模式図である。
【図２】本発明の第１実施例を示す緊急避難用簡易マスクの装着状態を示す模式図である。
【図３】本発明の第２実施例を示す緊急避難用簡易マスクの装着状態を示す図である。
【図４】本発明の第２実施例を示す緊急避難用簡易マスクの足動ポンプの斜視図である。
【図５】本発明の第３実施例を示す緊急避難用簡易マスクの装着状態を示す図である。
【図６】本発明の第３実施例を示す緊急避難用簡易マスクの上着を示す図である。
【図７】本発明の第４実施例を示す緊急避難用簡易マスクの装着状態を示す図である。
【図８】本発明の第５実施例を示す緊急避難用簡易マスクの装着状態を示す図である。
【図９】本発明の第５実施例を示す緊急避難用簡易マスクの上着を示す図である。
【図１０】本発明の第６実施例を示す緊急避難用簡易マスクの装着状態を示す図である。
【符号の説明】
【００３５】
１，３２    空気溜め容器（市販のペットボトルや袋）
２，５２    容器の雄螺子付き開口
３，４７，５７，７２，８２    ポンプ差し込み口
４，４９    空気溜め容器からの空気を導入するためのボタン
５，５０    排気の排出弁（バタフライ弁）
１１，３１，４１，５１    マスク
１２，４２    マスクの雌螺子付き開口
１３    マスク装着用のバンド
２１，４８    容器に空気を充填する小型手動ポンプ
２２，３７，４５，４８Ａ，５５，６２，７１，８１    空気送り管
２３，４６    雄螺子付き接続部
３３，５８    足動ポンプ
３４，５９    履物（ここではスリッパ）本体
３５，６０    履物本体の下部に配置されるポンプ部
３６，６１    フィルタ付き空気吸入口
３８    空気送り管の接続部
３９    ヒンジ構造
４３，５３    上着（ライフジャケットなど）
４４，５４    空気溜め部
【図１】
2005278973.tif 000003
【図２】
2005278973.tif 000004
【図３】
2005278973.tif 000005
【図４】
2005278973.tif 000006
【図５】
2005278973.tif 000007
【図６】
2005278973.tif 000008
【図７】
2005278973.tif 000009
【図８】
2005278973.tif 000010
【図９】
2005278973.tif 000011
【図１０】
2005278973.tif 000012